(57)【要約】【課題】回転清掃体を常にスムーズに回転させることのできる吸込口体を提供する。【解決手段】被掃除面と対向する下面に吸込口２５を開口した吸込室２６を有する吸込口本体と、被掃除面に対向して吸込室２６に回転自在に設けられた回転清掃体としての回転ブラシ３２と、回転ブラシ３２を回転駆動するモータ６１と、モータ６１を制御する制御回路７１とを備えた吸込口体であって、制御回路７１を介して、回転ブラシ３２の一端部側に位置する回転ブラシ３２の軸方向に向けた開口に至る風路を形成し、吸込口本体に流入する空気を回転清ブラシ３２の軸方向に沿って噴出させる。【選択図】        図３
2004230026.tif 000002
【特許請求の範囲】
【請求項１】
被掃除面と対向する下面に吸込口を開口した吸込室を有する吸込口本体と、前記被掃除面に対向して前記吸込室に設けられ清掃部材が螺旋状に配設される回転清掃体とを備えた吸込口体であって、
前記回転清掃体の一端部側に位置して前記回転清掃体の軸方向に向けた開口を形成し、前記吸込口本体に流入する空気を前記回転清掃体の軸方向に沿って噴出させることを特徴とする吸込口体。
【請求項２】
被掃除面と対向する下面に吸込口を開口した吸込室を有する吸込口本体と、前記被掃除面に対向して前記吸込室に設けられ清掃部材が螺旋状に配設される回転清掃体と、前記回転清掃体を回転駆動するモータと、前記モータを制御する制御回路とを備えた吸込口体であって、
前記制御回路を介して、前記回転清掃体の一端部側に位置する前記回転清掃体の軸方向に向けた開口に至る風路を形成し、前記吸込口本体に流入する空気を前記回転清掃体の軸方向に沿って噴出させることを特徴とする吸込口体。
【請求項３】
請求項２に記載の吸込口体において、
前記吸込口本体内に流入する空気は、掃除機本体内の電動送風機から排出された空気であることを特徴とする吸込口体。
【請求項４】
請求項１〜３のいずれか１項に記載の吸込口体を有することを特徴とする電気掃除機。
【発明の詳細な説明】
【０００１】
【発明の属する技術分野】
本発明は、下面に吸込口が形成され、この吸込口に回転清掃体が回転自在に設けられた吸込口体、およびこの吸込口体を用いた電気掃除機に関する。
【０００２】
【従来の技術】
従来より、電気掃除機に用いられる吸込口体として、被掃除面と対向する下面に吸込口を開口した吸込口本体と、被掃除面に対向して吸込口に設けられ清掃部材が螺旋状に配設される回転清掃体とを備えたものがある（例えば、特許文献１参照）。
【０００３】
ところで、近年、掃除機本体の電動送風機から排出された空気を、掃除機本体に接続された吸塵ホースおよび吸塵パイプ等を介して吸込口体に回収し循環させる、いわゆる循環式の電気掃除機が知られている。
【０００４】
このような循環式の電気掃除機において、吸込口本体下面の吸込口の内壁面のうち、吸込口体の走行方向に沿って前側の内壁面に空気吹出口を設け、吸込口体に回収した空気を前記空気吹出口から、吸込口内に噴出するようにした吸込口体が提案されている。
【０００５】
【特許文献１】
特開２００２−２０００１５号公報（第４頁、図１）
【０００６】
【発明が解決しようとする課題】
しかしながら、上記従来の技術では、回転清掃体の回転軸に対して直角方向から空気を噴出しているので、回転清掃体の回転時に回転清掃体の片側にゴミが集まりやすいという欠点がある。すなわち、回転清掃体の外周面には軸方向に沿ったブラシとブレードが周方向に間隔を開けて複数設けられ、これらブラシとブレードは螺旋状に配置されているので、回転清掃体の回転軸に対して直角方向から空気が吹き付けられると、回転清掃体の回転時に、ブラシやブレードで掻き上げられたゴミが螺旋状のブレードに沿って移動し、回転清掃体の片側に集まってしまうのである。このように回転清掃体の片側にゴミがあつまると、その集まったゴミが回転清掃体の軸受等に絡まったりして、回転清掃体の回転に支障をきたす。
【０００７】
本発明の課題は、回転清掃体を常にスムーズに回転させることのできる吸込口体、およびこの吸込口体を用いた電気掃除機を提供することにある。
【０００８】
【課題を解決するための手段】
上記課題を解決するために、本発明の特徴部分は、吸込口本体内に流入する空気を回転清掃体の軸方向に沿って噴出させるようにしたことである。例えば、本発明は、被掃除面と対向する下面に吸込口を開口した吸込室を有する吸込口本体と、前記被掃除面に対向して前記吸込室に設けられ清掃部材が螺旋状に配設される回転清掃体とを備えた吸込口体であって、前記回転清掃体の一端部側に位置して前記回転清掃体の軸方向に向けた開口を形成し、前記吸込口本体に流入する空気を前記回転清掃体の軸方向に沿って噴出させることを特徴としている。
【０００９】
上記構成によれば、吸込口本体内に流入する空気を回転清掃体の軸方向に沿って噴出させるようにしたので、清掃回転体の回転時にゴミは清掃回転体の中央に戻され、清掃回転体の軸受等に絡まることはない。その結果、回転清掃体を常にスムーズに回転させることが可能となる。
【００１０】
【発明の実施の形態】
以下、本発明の実施の形態を図面に従って説明する。
図１は本発明に係る電気掃除機の全体を示す斜視図である。図中、１は一対の車輪２（一方のみ図示）および図示しない旋回輪により被掃除面上を自在に移動できる掃除機本体である。掃除機本体１には、その前部に設けられた吸塵口３に可撓性の吸塵ホース４が接続されている。吸塵ホース４は一端部に接続筒５を有し、この接続筒５が吸塵口３に着脱自在に取り付けられる。また、吸塵ホース４の他端部はく字状に形成され、その先端には接続筒６が固定されている。接続筒６には非可撓性の吸塵パイプ７が着脱自在に取り付けられ、この吸塵パイプ７の先端部には吸込口体８の連通管９が接続されている。また、吸塵口３には後述の電動送風機から排出された空気が、吸塵空気と混じることがないように導かれるようになっている。
【００１１】
複数の合成樹脂製ケース部材を組合わせて構成された掃除機本体１の前部には、上方を開口した集塵室が形成されているとともに、後部には送風機室が形成されている。集塵室には、その上面開口を通して集塵袋１０が出し入れ可能に収容され、集塵室１０の上面開口は開閉自在なケース蓋１１によって気密的に閉じられている。
【００１２】
両側部に車輪２が回転自在に取付けられた送風機室には、電動送風機１２と、コードリール１３等が収容されている。電動送風機１２から排出された空気は、集塵室の一側部を迂回して配置された図示しない戻し風路部材を介して吸塵口３に導かれるように構成されている。
【００１３】
吸塵ホース４は、例えば同軸構造の２重管であって、その蛇腹状内管の内側空間で作られる通気路には吸込口体８で吸込まれた塵埃が循環する空気とともに通され、前記内管と蛇腹状外管との間に形成された環状の通気路には前記戻し風路部材から導かれた排気が吸塵口３を経て通されるようになっている。
【００１４】
吸塵ホース４の他端部に固定された接続筒６には、上方に突出する把手部１４が設けられ、この把手部１４には、電動送風機１２等に対する各種の運転開始および運転中止を指示するための手元操作用の制御スイッチ１６が設けられている。
【００１５】
接続筒６に着脱自在に取り付けられた吸塵パイプ７は、塵埃を吸込むための第１パイプ７ａと、電動送風機１２からの排気を吸込口体８内に戻すための第２パイプ７ｂとを有し、いずれも合成樹脂製の硬質管からなっている。第１パイプ７ａは吸塵ホース４の内管に接続筒６を介して連通され、同様に第２パイプ７ｂは吸塵ホース４の内外両管間の環状通気路に接続筒６を介して連通されるようになっている。
【００１６】
次に、吸込口体８の構成について詳細に説明する。図２および図３は吸込口体８の内部構成を示しており、図２はその縦断面図、図３は横断面図である。
【００１７】
吸込口体８は、図２および図３に示すように、その走行方向に対して直角方向に横長形状の、吸込口本体としてのケース体２１を備えている。このケース体２１は、合成樹脂製の上面を開口した下部ケース２２と、この下部ケース２２の上部に上面の開口を覆い同材質の下面を開口する上部ケース２３とが、下部ケース２２および上部ケース２３の前面を含む周面に沿って軟質部材の緩衝体としてのバンパ２４を挟持して結合固定されている。
【００１８】
また、ケース体２１の下部ケース２２における被掃除面としての床面と対向する下面には、細長矩形状の吸込口２５が開口形成されている。この吸込口２５は、ケース体２１の走行方向の前側に偏位した位置に設けられており、このケース体２１の走行方向に対する幅方向に沿った長手方向を有した横長矩形状に形成されている。
【００１９】
さらに、ケース体２１の内部における吸込口２５の上方には、この吸込口２５に連通した吸気室２６が区画形成されている。また、この吸気室２６の後側には、ケース体２１の後部略中央に開口した連通口２７に連通した風路室２８が区画形成されている。この風路室２８は、吸気室２６の後側に連通している。そして、ケース体２１の連通口２７には、周方向に向けて回転可能な屈曲した円筒状の連通管９が連通接続されている。この連通管９は、吸塵パイプ７の先端部に着脱可能に連通接続されている。
【００２０】
ケース体２１の後部の両側には、走行方向に向けて回転可能な一対の従動輪３１が取り付けられている。この従動輪３１は、ケース体２１を走行可能にする。
【００２１】
さらに、このケース体２１の吸気室２６の内部には、細長略円筒状の回転清掃体としての回転ブラシ３２が走行方向に向けて回転自在に軸支されて配設されている。
【００２２】
回転ブラシ３２は、その中心軸に垂直な面で切ると、図４に示すような形状をなしており、中心部にはブラシ台３３が設けられている。このブラシ台３３は、図６に示すように、細長略円筒状に形成され、その外周面には軸方向に沿って断面略凹状の係合凹部３４が複数（例えば４つ）設けられている。
【００２３】
なお、ブラシ台３３の各係合凹部３４は、周方向に間隔をおいて等間隔な状態で直線状に設けられている。また、このブラシ台３３は、変形可能、すなわちねじり加工が可能な程度の可撓性を有する部材、例えばプラスチックやポリエチレンなどの硬質な部材などにて押出成形されて形成されている。さらに、このブラシ台３３は、このブラシ台３３を周方向に向けて螺旋状にねじった状態で熱を加えて、３０℃以上の温度差を与えた後に冷ましてヒートショックさせることにより、このねじった状態がある程度保持される。
【００２４】
そして、このブラシ台３３の各係合凹部３４は、図５に示すように、内部が周方向に幅広となる拡大部３４Ａと、この拡大部３４Ａから外周面に連通する幅狭な連通部３４Ｂとを有し、断面形状が先端幅狭の凹状に形成されている。ここで、これら係合凹部３４の拡大部３４Ａは、基端側が断面凹弧状に形成されており、先端側の内縁が基端側に対向した平面状に形成されている。
【００２５】
さらに、これら各係合凹部３４それぞれの間には、軸方向に沿った断面略凹状の係止凹部３５がそれぞれ形成されている。この係止凹部３５は、基端側から先端側に向かうに連れて徐々に拡開したテーパ状に形成されている。また、ブラシ台３３には、軸方向の両端部に径方向に貫通するシャフト挿通孔３６が貫通した状態で穿設されている。
【００２６】
一方、ブラシ台３３の各係合凹部３４には、清掃部材としてのブラシ部材３７および掻取部材３８のそれぞれの基端側が周方向に沿って交互に係止されて取り付けられている。また、これらブラシ部材３７および掻取部材３８のそれぞれは、ブラシ台３３の外周面にこのブラシ台３３の軸方向に沿って壁状に突出して取り付けられている。
【００２７】
そして、ブラシ部材３７は、軟質塩化ビニルなどにてブラシ台３３の係合凹部３４の断面形状と略同形状に、この係合凹部３４に係脱可能に形成された細長略板紙のブラシ取付部３７Ａを備えている。また、このブラシ取付部３７Ａの表面部には、ブラシ毛３７Ｂが長手方向に沿って壁状に植設されている。
【００２８】
また、掻取部材３８は、例えば軟質塩化ビニルなどにて細長平板状で長手方向の一側両面に肉厚に膨出する掻き出し部３８Ａを断面凹凸状に設けた弾性を有するブレード３８Ｂを備えている。そして、このブレード３８Ｂの長手方向の他縁には、このブレード３８Ｂと同材質にて一体に細長略平板状のブレード取付部３８Ｃが形成されている。このブレード取付部３８Ｃの幅は、ブラシ部材３７のブラシ取付部３７Ａの幅と略等しい。
【００２９】
さらに、ブラシ台３３のシャフト挿通孔３６には、図７に示すような例えば鋼鉄やステンレス鋼（ＳＵＳ）などの金属にて成形された中空パイプ状のシャフト４１が挿通される。このシャフト４１は、ブラシ台３３より硬質な部材にて成形されており、このブラシ台３３の両端部からこのシャフト４１の両端部のそれぞれを突出させた状態で、このブラシ台３３のシャフト挿通孔３６に挿通されている。
【００３０】
また、このシャフト４１の両端部には、このシャフト４１の径方向に向けて貫通したピン挿通孔４２が穿設されている。これらピン挿通孔４２は互いに平行に形成されており、シャフト４１をブラシ台３３のシャフト挿通孔３６に挿通させた際に、このブラシ台３３の両端部から突出する位置に設けられている。さらに、シャフト４１の各ピン挿通孔４２よりも両端側には、このシャフト４１の周方向に沿った断面凹溝状の係合溝部４３が形成されている。そして、これら係合溝部４３の外周面は、シャフト４１を回転させた際の抵抗を少なくするために研磨加工されている。
【００３１】
一方、ブラシ台３３は、係合凹部３４にブラシ部材３７のブラシ取付部３７Ａおよび掻取部材３８のブレード取付部３８Ｃのそれぞれが挿入された状態で、図３に示すように、両端部が周方向に向けてスパイラル状である螺旋状にねじられている。
【００３２】
本実施の形態では、ブラシ台３３にねじりを加え、その状態を維持するために、シャフト４１の両端には、図８および図９に示すような略円筒状の受体４４がシャフト４１と同軸状に取り付けられている。この受体４４は、ブラシ台３３よりも硬質な材料により成形されている。
【００３３】
受体４４の中心部には、シャフト４１の端部が挿通される挿通孔４５が設けられており、この挿通孔４５の一側の開口縁には係止爪部４６が複数（例えば４つ）略等間隔で設けられている。これら係止爪部４６は、受体４４の一側端面４４Ａをブラシ台３３の端面３３Ａ（図６参照）に接触させた際に、ブラシ台３３の各係止凹部３５に嵌合される。なお、係止爪部４６は、受体４４の挿通孔４５の開口方向である軸方向に沿って突出しており、ブラシ台３３の係止凹部３５に合致した断面形状を有している。
【００３４】
ブラシ台３３のシャフト挿通孔３６および受体４４の挿通孔４５にシャフト４１を挿通させ、さらに受体４４の係止爪部４６をブラシ台３３の各係止凹部３５に嵌合させた状態で、受体４４をシャフト４１を中心に周方向に回動させれば、ブラシ台４４をねじることができる。
【００３５】
また、受体４４の一側端面４４Ａには挿通孔４５の周方向に沿って突出した円環状の鍔部４７が設けられている。鍔部４７は、ブラシ台３３の最大外径よりも若干大きな外径寸法を有している。そして、受体４４の各係止爪部４６をブラシ台３３の各係止凹部３５にそれぞれ嵌合させて、受体４４の一側端面４４Ａをブラシ台３３の端面３３Ａに接触させると、ブラシ台３３の係合凹部３４の両端部は、受体４４の一側端面４４Ａで封止される。これにより、ブラシ部材３７および掻取部材３８が係合凹部３４の軸方向端部から抜けるのを抑制することができる。
【００３６】
さらに、受体４４の他端部には、押通孔４５の周方向に沿って突出した円環状の鍔部４８が設けられている。この鍔部４８の外周両側には、円筒状の筒部４９が同心状に取り付けられている。そして、この筒部４９の内部には、図３に示すように、矩形筒状の軸受体５０が嵌合されている。この軸受体５０は、シャフト４１の端部に嵌合されて、このシャフト４１の端部を回転自在に支持する。なお、受体４４の筒部４９は、軸受体５０の外周面を覆って、この軸受体５０への塵埃などの侵入を防止する。
【００３７】
ここで、吸込口体８のケース体２１の吸気室２６の走行方向に対する両側縁のそれぞれには、一対の軸支凹部５１が形成されている。これら軸支凹部５１のそれぞれには、受体４４の筒部４９に嵌合されてシャフト４１の両端部を回転自在に支持した軸受体５０のそれぞれが嵌合されている。その結果、これら軸受体５０は、一対の軸支凹部５１問にシャフト４１を回転自在に支持することができる。
【００３８】
また、受体４４の外側面には、図９に示すように、鍔部４７と鍔部４８との中間位置に、挿通孔４５の周方向に沿って突出した円環状の鍔部５２が設けられている。さらに、受体４４には鍔部４８と鍔部５２との間に、ピン挿通孔５３が穿設されている。このピン挿通孔５３は、受体４４の径方向に向けて貫通している。また、ピン挿通孔５３は、ブラシ台３３の両端部を互いに対向する方向に周方向に向けて螺旋状に所定距離ねじることにより、シャフト４１のピン挿通孔５３に連通される。このとき、このブラシ台３３のシャフト挿通孔３６にはシャフト４１が挿通されており、このシャフト４１の両端部は受体４４の挿通孔４５にそれぞれ挿通され、かつこれら受体４４の係止爪部４６がブラシ台３３の各係止凹部３５に嵌合されている。
【００３９】
そして、これらピン挿通孔５３は、シャフト４１のピン挿通孔４２に位置合わせされる。この状態で、これらピン押通孔４２，５３間には、細長円柱状のピン５４（図３参照）が挿入されて、受体４４とシャフト４１とが連結固定される。
【００４０】
一方、吸込口体８のケース体２１の内部における吸気室２６の後側であり風路室２８の側方には、図２および図３に示すように、モータ６１が収容されている。このモータ６１の先端部には、このモータ６１の駆動により回転する回転軸６２が突出しており、この回転軸６２には同心状にプーリ６３が取り付けられている。このプーリ６３は、吸込口体８の吸気室２６内に取り付けられた回転ブラシ３２における一方の受体４４の後側に位置しており、この受体４４の回転方向に一致した回転方向を有している。
【００４１】
そして、このプーリ６３と回転ブラシ３２の一方の受体４４とモータ６１の回転軸６２に取り付けられたプーリ６３との間には、無端状のベルト体６４が巻回されている。その結果、モータ６１を駆動させることにより、このモータ６１の回転軸６２の回転によりプーリ６３が回転し、このプーリ６３の回転に伴ってベルト体６４が回転して回転ブラシ３２の一方の受体４４が回転するので、回転ブラシ３２が回転駆動される。
【００４２】
吸込口体８には、図３に示すように、風路室２８を挟んでモータ６１の反対側に制御回路７１が設けられている。この制御回路７１はモータ６１の回転を制御するためのもので、サーミスタ７２等が搭載されている。
【００４３】
そして、本実施の形態では、図１０に示すように、制御回路７１が設けられた空間７３と受体４４の筒部４９が配置された空間７４との間の仕切り壁７５に開口部７５Ａが形成されている。仕切り壁７５は下部ケース２２の一部である。上部ケース２３にも仕切り壁７５に対応して仕切り壁が設けられており、この上部ケース２３の仕切り壁にも上記開口部７４Ａに対向して開口部を形成してもよい。
【００４４】
また、本実施の形態では、回転ブラシ３２が配置された空間７６と上記空間７４との間の２つの仕切り壁のうち、空間７４に近い側の仕切り壁７７に切欠部７７Ａが、空間７６に近い側の仕切り壁７８に切欠部７８Ａがそれぞれ形成されている。仕切り壁７７，７８は下部ケース２２の一部である。
【００４５】
図１１は、図１０のＢ−Ｂ線またはＣ−Ｃ線に沿った断面図である。図に示すように、切欠部７７Ａ，７８Ａの中央部分には円弧部７７Ｂ，７８Ｂが形成され、これら円弧部７７Ｂ，７８Ｂに受体４４が設けられている。
【００４６】
上部ケース２３にも、図に二点鎖線で示すように、仕切り壁７７，７８に対応して仕切り壁７９，８０が設けられ、これら仕切り壁７９，８０には切欠部７７Ａ，７８Ａに対向して切欠部７９Ａ，８０Ａが形成され、それらの中央部分には円弧部７９Ｂ，８０Ｂがそれぞれ形成されている。そして、下部ケース２２と上部ケース２３とを結合すると、下部ケース２２の円弧部７７Ｂ，７８Ｂと上部ケース２３の円弧部７９Ｂ，８０Ｂとによって、受体４４の鍔部４８と鍔部５２の間の細径部および鍔部４７と鍔部５２の間の細径部が挟持され、受体４４は回転自在に支持されている。つまり、円弧部７７Ｂ，７８Ｂおよび円弧部７９Ｂ，８０Ｂは回転ブラシ３２の軸受の機能を有している。
【００４７】
次に、本実施の形態の掃除動作について説明する。
まず、掃除をする際には、掃除機本体１に吸塵ホース４および吸塵パイプ７を介して吸込口体８を接続する。そして、この吸塵ホース４の把持部１４を持って押動させて、吸込口体８を床面上で前後に走行させる。このとき、掃除機本体１内の電動送風機１２の駆動により発生する吸込力によって、吸込口体８の吸込口２５から空気とともに床面上の塵埃が吸い込まれる。
【００４８】
電動送風機１２の吸込力によって、空気は、図１に白抜きの矢印で示すように、吸込口体８、吸塵パイプ７の第１パイプ７ａ、および吸塵ホース４を通って掃除機本体１へと流れ、さらに、塵埃が取り除かれた空気は、太い矢印で示すように、掃除機本体１から吸塵ホース４、および吸塵パイプ７の第２パイプ７ｂを通って吸込口体８へと流れる。
【００４９】
そして、本実施の形態においては、吸込口体８へ流れた空気は、図３に矢印で示すように、制御回路７１が設けられた空間７３に流入する。空間７３に流入した空気は、制御回路７１上のサーミスタ７２を冷却し、その後、仕切り壁７５の開口部７５Ａを通って空間７４に流入し、さらに、仕切り壁７７の切欠部７７Ａと仕切り壁７９の切欠部７９Ａ間、および仕切り壁７８の切欠部７８Ａと仕切り壁８０の切欠部８０Ａ間を通って回転ブラシ３２に向かって噴出される。ここでは、空間７３は、制御回路７１を冷却する空気が流れるよう形成された風路を構成している。
【００５０】
本実施の形態によれば、回転ブラシ３２に向かって循環空気が噴出され、回転ブラシ３２の回転時にゴミが回転ブラシ３２の中央に戻されるため、回転ブラシ３２の軸受、すなわち受体４４を回転自在に支持する仕切り壁７７，７８の円弧部７７Ｂ，７８Ｂおよび仕切り壁７９，８０の円弧部７９Ｂ，８０Ｂにゴミが絡まることはなく、回転ブラシ３２を常にスムーズに回転させることが可能となる。
【００５１】
また、空間７３を流れる空気によって制御回路７１上のサーミスタ７２が冷却されるため、サーミスタ７２の動作が安定し、その結果、吸込口２５にゴミが引っ掛かってないのにモータ６１への給電を止めたりして、回転ブラシ３２の回転が不安定になるのを防止することができる。
【００５２】
なお、上記実施の形態において、制御回路７１は設けられていなくてもよい。
【００５３】
【発明の効果】
以上説明したように、本発明によれば、吸込口本体内に流入する空気を回転清掃体の軸方向に沿って噴出させるようにしたので、清掃回転体の回転時にゴミは清掃回転体の中央に戻され、清掃回転体の軸受等に絡まることはない。その結果、回転清掃体を常にスムーズに回転させることが可能となる。
【図面の簡単な説明】
【図１】本発明に係る電気掃除機の斜視図である。
【図２】本発明に係る吸込口体の内部構成を示した縦断面図である。
【図３】本発明に係る吸込口体の内部構成を示した横断面図である。
【図４】回転ブラシをその中心軸に垂直な面で切ったときの縦断面図である。
【図５】ブラシ台の要部拡大図である。
【図６】ブラシ台の外観斜視図である。
【図７】シャフトの正面図である。
【図８】受体の正面図である。
【図９】図８のＡ１−Ａ２−Ａ３線に沿った断面図である。
【図１０】回転ブラシの軸受付近の斜視図である。
【図１１】図１０のＢ−Ｂ線またはＣ−Ｃ線に沿った断面図である。
【符号の説明】
１  掃除機本体
８  吸込口体
３２  回転ブラシ
４４  受体
６１  モータ
７１  制御回路
７２  サーミスタ
７５，７７〜８０  仕切り壁
７５Ａ  開口部
７７Ａ〜８０Ａ  切欠部
【図１】
2004230026.tif 000003
【図２】
2004230026.tif 000004
【図３】
2004230026.tif 000005
【図４】
2004230026.tif 000006
【図５】
2004230026.tif 000007
【図６】
2004230026.tif 000008
【図７】
2004230026.tif 000009
【図８】
2004230026.tif 000010
【図９】
2004230026.tif 000011
【図１０】
2004230026.tif 000012
【図１１】
2004230026.tif 000013